(57)【要約】      （修正有）【課題】小型で楽器の調湿が可能な楽器用調湿シートを提供する。【解決手段】２枚のポリプロピレンの長繊維シート材を重ねてその間にシリカゲルＢ型を挟み込んでホットメルトして調湿層を形成した調湿シート３０をギターのサウンドホールを覆う大きさの形状とする。その調湿シート３０の４箇所に切欠き４２ａ〜４２ｄを設け、サウンドホールに装着しやすいように楽器用調湿シート１の右外縁に一部４３を切りとり、左外縁の一部を突出させてタグ部４４とする。この楽器用調湿シート１をギターに装着する場合、上部切片４５ａ及び下部切片４５ｂがギターのサウンドホールの外部に残るように、タグ部４４をサウンドホールからギターの共鳴胴の内部に差し込むようにし、４箇所の切欠き４２ａ〜４２ｄが、サウンドホールを形成している板部材を挟み込むように取り付ける。【選択図】図２
2016206552.tif 000002
【特許請求の範囲】
【請求項１】
共鳴胴に共鳴孔を有する楽器の前記共鳴孔を覆う大きさの形状に形成された、調湿機能を有する調湿シートと、
前記調湿シートを、前記共鳴孔を覆うように前記楽器に装着するための装着部と、
を有することを特徴とする楽器用調湿シート。
【請求項２】
請求項１に記載の楽器用調湿シートにおいて、
前記調湿シートの片側表面に非透湿性の層が形成されていることを特徴とする楽器用調湿シート。
【請求項３】
請求項１又は請求項２に記載の楽器用調湿シートにおいて、
前記装着部は、前記調湿シートに設けた切欠きにより、前記調湿シートを、前記共鳴孔を覆うように前記楽器に装着することを特徴とする楽器用調湿シート。
【発明の詳細な説明】
【技術分野】
【０００１】
本発明は、楽器用、特にギターなど共鳴胴に共鳴孔を有する楽器用の調湿シートに関する。
【背景技術】
【０００２】
従来、ギターなど共鳴胴に共鳴孔、いわゆるサウンドホールを有する楽器の湿度を長期に亘って一様に調節し、過剰かつ局部的な調湿による表面部材のそりや破損を防止し、また、ニスやニカワ等の熔解を防止するとともに、湿度による音色の変化や抑制し、しかも、演奏時の汗の付着によるニスの変色や劣化及び音色の変化を防止し、また演奏時のボタン、ファスナー等による擦過を防止し、楽器の劣化や損傷を未然に防止して、楽器の寿命の向上を図るとともに、楽器に装着した際の音色の変化を防止し、しかも嵩張らず取り扱いに至便な楽器用調湿カバーがあった（例えば、特許文献１参照）。
【先行技術文献】
【特許文献】
【０００３】
【特許文献１】特開２００５−３００５９２号公報
【発明の概要】
【発明が解決しようとする課題】
【０００４】
ところが、上記特許文献１に記載の楽器用調湿カバーは、楽器の調湿部に、楽器用調湿カバーを被せ、楽器と楽器用調湿カバーのとの間の湿気や熱の籠りを楽器用調湿カバーかの外部に常時放出するようにして、楽器ケースに入れた楽器の内外において湿度を長期に亘って一様に調整するようになっている。
【０００５】
したがって、防湿材と透湿材とを備えたシートを、少なくとも楽器の調湿部全体を覆うことができるカバー状に形成する必要があるため、大型化して取扱いに不便であり、また、楽器から取り外した状態での収納にも不便であるという問題があった。
【０００６】
本発明は、こうした問題に鑑みなされたもので、小型で楽器の調湿が可能な楽器用調湿シートを提供することを目的とする。
【課題を解決するための手段】
【０００７】
この欄においては、発明に対する理解を容易にするため、必要に応じて「発明を実施するための形態」欄において用いた符号を付すが、この符号によって請求の範囲を限定することを意味するものではない。
【０００８】
上記「発明が解決しようとする課題」において述べた問題を解決するためになされた発明は、調湿シート（３０）と装着部（４０）とを備えた楽器用調湿シート（１）である。
【０００９】
調湿シート（３０）は、共鳴胴（１０）に共鳴孔（２０）を有する楽器（５）の共鳴孔（２０）を覆う大きさの形状に形成された、調湿機能を有するシート材であり、装着部（４０）は、調湿シート（３０）を、共鳴孔（２０）を覆うように楽器（５）に装着するためのものである。
【００１０】
このような、楽器用調湿シート（１）によれば、小型で楽器の調湿が可能な楽器用調湿シートとすることができる。
【００１１】
つまり、調湿シート（３０）で楽器（５）の共鳴胴（１０）に設けられている共鳴孔（２０）を覆う大きさとしている。また、その大きさの調湿シート（３０）を、装着部（４０）によって共鳴孔（２０）を覆うように楽器（５）に取り付けている。
【００１２】
したがって、調湿シート（３０）の大きさを共鳴孔（２０）の大きさよりも若干大きくすることで、調湿を行うことができ、しかも、従来の共鳴胴（１０）全体を覆うようなカバー形状の調湿カバーに比べ、非常に小型にすることができる。
【００１３】
また、請求項２に記載のように、調湿シート（３０）の片側表面に非透湿性の層（３８）が形成されていると、楽器用調湿シート（１）を装着した楽器（５）内部の湿度を所定の範囲に保つことができ、楽器（５）の長期的な保管に適している。
【００１４】
つまり、例えば、販売店で楽器（５）を展示するような場合に、空調された店内の湿度が楽器（５）の保管に適した湿度よりも低い（外気が乾燥している）場合がある。
【００１５】
その場合、調湿シート（３０）の表面側（つまり、楽器用調湿シート（１）を楽器（５）に装着した際に楽器（５）の表面側となる面側）に非透湿性の層（３８）が形成されていると、乾燥した空気が楽器（５）内部に浸透しない。一方、楽器（５）内部は、調湿シート（３０）で吸湿されるため、楽器（５）内部の湿度が所定の値に保たれる。
【００１６】
ところで、調湿シート（３０）を楽器（５）に取り付ける装着部（４０）には、種々の形態が考えられるが、請求項２に記載のように、装着部（４０）を、調湿シート（３０）に設けた切欠き（４２ａ〜４２ｄ）により、調湿シート（３０）を、共鳴孔（２０）を覆うように楽器（５）に装着するようにするとよい。
【００１７】
このように、切欠き（４２ａ〜４２ｄ）により調湿シート（３０）を楽器（５）に装着するようにすると、切欠き（４２ａ〜４２ｄ）部分を、共鳴孔（２０）を形成する板部材などに嵌め込むという簡単な操作により装着することができるので、使用者にとって扱いやすい楽器用調湿シート（１）とすることができる。
【図面の簡単な説明】
【００１８】
【図１】第１実施形態における調湿シートの概略の構成を示す図である。
【図２】楽器用調湿シートの形状を示す平面図である。
【図３】楽器用調湿シートをギターに適用した場合を示す図である。
【図４】第２実施形態における調湿シートの概略の構成を示す図である。
【発明を実施するための形態】
【００１９】
以下、本発明が適用された実施形態について図面を用いて説明する。なお、本発明の実施の形態は、下記の実施形態に何ら限定されることはなく、本発明の技術的範囲に属する限り種々の形態を採りうる。
＜第１実施形態＞
［楽器用調湿シート１の構成］
まず、図１に基づき、楽器用調湿シート１の素材である調湿シート３０の構成を説明する。図１は、調湿シート３０の概略の構成を示す図である。なお、図１では、説明を分かりやすくするため、調湿シート３０を形成する材料等の大きさや層の厚さの比率等は実際のものとは異なっている。
【００２０】
図１に示すように、調湿シート３０は、湿気を通さない非透湿層３８、２枚の長繊維シート材３２及び調湿層３６を備えている。
【００２１】
調湿層３６は、２枚のポリプロピレンの長繊維シート材３２を重ね、その間に、調湿剤として、粒状のシリカゲルＢ型３４を挟み込み、その状態で、重ねたポリプロピレンの長繊維シート材３２を、エチレン酢酸ビニルなどの熱可塑性プラスチックを接着剤として、ホットメルト加工することによって形成されている。
【００２２】
また、長繊維シート材３２の一方の外面（図１では、上側の長繊維シート材３２の外面）には、紙をポリエチレンでラミネートして湿気を通さないようにした非透湿層３８がフレームラミネート加工により積層されている。
【００２３】
これにより、一方の面（表面）がポリエチレンの非透湿層３８、他方の面（裏面）がポリプロピレンの長繊維シート材３２で、その間にシリカゲルＢ型の調湿層３６を積層した調湿シート３０とすることができる。
［楽器用調湿シート１の形状］
次に、図２に基づき楽器用調湿シート１の形状について説明する。図２は、楽器用調湿シート１をギター５に適用する場合の形状を示す平面図である。
【００２４】
図２に示すように、楽器用調湿シート１をギター５に適用する場合には、ギター５の共鳴胴１０に設けられている円形の共鳴孔２０（以下、サウンドホール２０とも呼ぶ）の形状及び大きさに対し若干面積が大きくなるように略円形の形状とする。
【００２５】
また、楽器用調湿シート１を、サウンドホール２０を覆うように、共鳴胴１０に装着するため、装着部４０として、４箇所に切欠き４２ａ，４２ｂ４２ｃ，４２ｄを設けている。この４箇所の切欠き４２ａ〜４２ｄをサウンドホール２０が形成されている共鳴胴１０の板部材の内縁部分に差し込んで、楽器用調湿シート１をサウンドホール２０に装着する。
【００２６】
この際、楽器用調湿シート１をサウンドホール２０に装着しやすくするため、及び、一旦装着した楽器用調湿シート１を取り外しやすくするために、楽器用調湿シート１の一部４３（図２中右外縁の一部）を、全体の直径よりも小さくなるように切り取ってある。
【００２７】
また、サウンドホール２０に装着した楽器用調湿シート１がギター５の演奏中などに振動などで外れてしまわないようにするため外縁から一部（図２中左外縁の一部）突出したタグ部４４が設けられている。
【００２８】
ここで、図２において、切欠き４５ａと切欠き４５ｂとを結んだ仮想線Ａ−Ａよりも上の部分を上部切片４５ａとよび、切欠き４５ｃと切欠き４５ｄとを結んだ仮想線Ｂ−Ｂよりも上の部分を下部切片４５ｂと呼ぶ。
［楽器用調湿シート１の装着例］
上記のような形状をした楽器用調湿シート１をギター５に装着した例を図３に示す。図３は、楽器用調湿シート１をギターに適用した場合を示す図である。
【００２９】
図３に示すように、楽器用調湿シート１の上部切片４５ａ及び下部切片４５ｂがギター５のサウンドホール２０の外部に残るように、タグ部４４をサウンドホール２０からギター５の共鳴胴１０の内部に差し込むようにし、４箇所の切欠き４２ａ〜４２ｄが、サウンドホール２０を形成している板部材を挟み込むように取り付ける。
［楽器用調湿シート１の特徴]
以上のような楽器用調湿シート１は、調湿シート３０をギター５の共鳴胴１０に設けられているサウンドホール２０を覆う大きさ（直径がサウンドホール２０の直径より若干大きくなるよう）にしている。また、その大きさの調湿シート３０を、装着部４０を形成する複数の切欠き４２ａ〜４２ｄによってサウンドホール２０を覆うようにギター５に取り
付けている。
【００３０】
このように、調湿シート３０の大きさをサウンドホール２０の大きさよりも若干大きくすることで、調湿を行うことができ、しかも、従来の共鳴胴１０全体を覆うようなカバー形状の調湿カバーに比べ、非常に小型にすることができる。
【００３１】
また、複数の切欠き４２ａ〜４２ｄにより調湿シート３０をギター５に装着してあるので、切欠き４２ａ〜４２ｄを、サウンドホール２０を形成する板部材などに嵌め込むという簡単な操作により装着することができる。したがって、使用者にとって扱いやすい楽器用調湿シート１とすることができる。
【００３２】
さらに、サウンドホール２０に、楽器用調湿シート１を嵌め込むようにして装着してあるので、ギター５の演奏中であってもギター５の調湿を行うことができる。
【００３３】
また、楽器用調湿シート１の一部４３（図２中右外縁の一部）を、全体の直径よりも小さくなるように、切り取ってあるため、楽器用調湿シート１をサウンドホール２０に装着しやすく、また、一旦装着した楽器用調湿シート１を取り外しやすくすることができる。
【００３４】
さらに、外縁から一部（図２中左外縁の一部）突出したタグ部４４が設けられているため、サウンドホール２０に装着した楽器用調湿シート１がギター５の演奏中などに振動などで外れてしまわないようにすることができる。
【００３５】
また、調湿シート３０の片側表面に非透湿性の層３８が形成されているため、楽器用調湿シート１を装着したギター５内部の湿度を所定の範囲に保つことができ、ギター５の長期的な保管に適している。
＜第２実施形態＞
次に、図４に基づき第２実施形態について説明する。第２実施形態では、調湿層３６の構成が異なるのみであるから、その他の構成については説明を省略する。
【００３６】
第１実施形態では、２枚のポリプロピレンシートをホットメルト加工することにより２枚のポリプロピレンシートの間に調湿層３６を形成していたが、第２実施形態では、ホットメルト加工の代わりに、図４に示すように、２枚のポリプロピレンシートを重ねて、ニードルパンチ加工する。
【００３７】
このように、ニードルパンチ加工により、ポリプロピレンの長繊維が２枚のポリプロピレンで挾まれたシリカゲルＢ型などの多孔質吸収剤３４に絡みつくようにして固定して、調湿層３６を形成する。
［その他の実施形態］
（１）上記実施形態では、楽器用調湿シート１をギターに適用したが、共鳴胴に共鳴孔を有する楽器、例えば、ウクレレやバイオリンなどの弦楽器であれば、共鳴孔の形状に合わせて調湿シート３０の形状を変更することによりどのような楽器に適用してもよい。
（２）上記実施形態では、調湿剤として、粒状のシリカゲルＢ型を用いたが、調湿剤として他の多孔質吸着剤、例えば、竹炭、活性炭、活性アルミナ、シリカ・アルミナあるいは合成ゼオライトなどを用いてもよい。
（３）上記実施形態では、長繊維シート材３２としてポリプロピレンを用いたが、ポリエステルやレーヨンなどを用いてもよい。
【符号の説明】
【００３８】
１… 楽器用調湿シート  ５… ギター(楽器）  １０… 共鳴胴  ２０… サウンドホール（共鳴孔）  ３０… 調湿シート  ３２… 長繊維シート材  ３４… シリカゲルＢ型（
多孔質吸収剤）  ３６… 調湿層  ３８… 非透湿層  ４０… 装着部  ４２ａ，４２ｂ，４２ｃ，４２ｄ… 切欠き  ４３…楽器用調湿シート１の一部  ４４… タグ部  ４５ａ…上部切片  ４４ｂ… 下部切片。
【図１】
2016206552.tif 000003
【図２】
2016206552.tif 000004
【図３】
2016206552.tif 000005
【図４】
2016206552.tif 000006